(57)【要約】【課題】発電機能を備え、大型の電池を搭載しなくても長時間にわたって音楽を楽しめるヘッドホンを提供する。【解決手段】２つのスピーカ部と該スピーカ部を連結し頭部形状合わせて湾曲したヘッドバンド部とを備えたヘッドホンにおいて、前記ヘッドホンが、音楽・音声信号を受信する無線受信装置と、前記音楽・音声信号を増幅する増幅アンプと、前記増幅アンプを駆動する電源と、前記電源に電力を供給する発電装置と、を備えることを特徴とする。【選択図】図１
2010050667.tif 000002
【特許請求の範囲】
【請求項１】
２つのスピーカ部と該スピーカ部を連結し頭部形状に合わせて湾曲したヘッドバンド部とを備えたヘッドホンにおいて、前記ヘッドホンが、音楽・音声信号を受信する無線受信装置と、前記音楽・音声信号を増幅する増幅アンプと、前記増幅アンプを駆動する電源と、前記電源に電力を供給する発電装置と、を備えることを特徴とするヘッドホン。
【請求項２】
前記電源が二次電池であることを特徴とする、請求項１に記載のヘッドホン。
【請求項３】
前記発電装置が太陽電池であることを特徴とする、請求項１または２に記載のヘッドホン。
【請求項４】
前記太陽電池がヘッドバンド部の表面に設けられることを特徴とする、請求項１ないし３のいずれかに記載のヘッドホン。
【請求項５】
前記発電装置が、相対的に運動する磁石とコイルとにより構成されていることを特徴とする、請求項１または２に記載のヘッドホン。
【発明の詳細な説明】
【技術分野】
【０００１】
本発明は、ヘッドホンに関し、特に音楽・音声再生装置からワイヤレスで、音楽・音声信号を飛ばしたものを受信して再生するヘッドホンに関する。
【背景技術】
【０００２】
近年、携帯型音楽・音声再生装置の小型が進み、半導体メモリを使用した音楽・音声再生装置が主流となっている。
【０００３】
また、これらの音楽・音声再生装置は、小型である特長を生かし小型のヘッドホンで再生して利用されるのが一般的である。音楽・音声再生装置とヘッドホンとは、通常コードで接続され、ヘッドホンには、音声増幅アンプ等は搭載されない。
【０００４】
しかし、音楽・音声再生装置とヘッドホンとを繋ぐコードは、使用時に絡まったり、邪魔になったりとわずらわしいことが多かった。
【０００５】
そこで、近年では音楽・音声再生装置とヘッドホンとの信号の伝送を無線にして、電波や赤外線で行うことが実施されている（例えば特許文献１、２）。さらに、特許文献３には、太陽電池を搭載したミュージックホンが開示されている。
【０００６】
【特許文献１】特開平２−２４６５９８号公報
【特許文献２】特開２００３−２８０６９３号公報
【特許文献３】特開昭５９−９５５９３号公報
【発明の開示】
【発明が解決しようとする課題】
【０００７】
しかし、上記従来の製品では、ヘッドホン側に信号の受信装置、信号の増幅装置、これらの装置を駆動させるための電源が必要となり、通常のヘッドホンに比較すると重量が増加する。さらに、上記従来の製品では、ヘッドホン搭載の電源が消耗すると使用不可能となり、常に電池容量を把握しながら使用する必要があった。そのために、電源に用いられる電池を大容量なものにすると重量、体積が増加するのでヘッドホンの大型化、重量化につながるのは、避けられず、快適な使用を妨げる問題があった（例えば特許文献１、２）。また、特許文献３のミュージックホンでは、太陽電池が搭載されているものの、操作部が頭部のヘッドホンにあるか有線で結ばれた操作ボックスにあるので、操作が不便であったり、わずらわしいという問題があった。
【０００８】
本発明は上述の点に鑑みて為されたものであり、その目的とするところは、発電機能を備え、大型の電池を搭載しなくても、また、電池の消耗を気にすることなく長時間にわたって音楽を楽しめるヘッドホンを提供することにある。
【課題を解決するための手段】
【０００９】
本発明者らは、ヘッドホンの構成について鋭意検討を重ねた結果、ヘッドホンの構成を下記のようにすることにより、上記目的を達成することができることを見いだし、本発明をなすに至った。
【００１０】
すなわち、２つのスピーカ部と該スピーカ部を連結し頭部形状に合わせて湾曲したヘッドバンド部とを備えたヘッドホンにおいて、前記ヘッドホンが、音楽・音声信号を受信する無線受信装置と、前記音楽・音声信号を増幅する増幅アンプと、前記増幅アンプを駆動する電源と、前記電源に電力を供給する発電装置と、を備えることを特徴とする。
【００１１】
前記電源が二次電池であることを特徴とする。
【００１２】
前記発電装置が太陽電池であることを特徴とする。
【００１３】
前記太陽電池がヘッドバンド部の表面に設けられることを特徴とする。
【００１４】
前記発電装置が、相対的に運動する磁石とコイルとにより構成されていることを特徴とする。
【発明の効果】
【００１５】
ヘッドホンが、音楽・音声信号を受信する無線受信装置と、前記音楽・音声信号を増幅する増幅アンプと、前記増幅アンプを駆動する電源と、前記電源に電力を供給する発電装置と、を備えているので、電源として例えば大容量の大型電池を使用しなくても、電池の消耗を気にすることなく長時間にわたり音楽を楽しむことができる。
【発明を実施するための最良の形態】
【００１６】
以下に、図面を参照して、本発明のヘッドホンを説明する。
【００１７】
図１に本発明の一例のヘッドホンを示す。本実施態様のヘッドホン１００は、２つのスピーカ部１０と、このスピーカ部を連結し頭部形状に合わせて湾曲したヘッドバンド部２０とから構成される。スピーカ部には、スピーカ１１、無線受信装置１２、アンテナ１３が備えられている。ヘッドバンド部２０には、ヘッドバンド２１、ヘッドバンド２１の中央部に太陽電池セル２２、太陽電池セル２２の内部には、さらに二次電池２３、増幅アンプ２４が含まれている。
【００１８】
本発明のヘッドホン１００は、不図示の音楽等再生装置と組み合わせて、音楽等を楽しむことができる。この音楽等再生装置により、音楽や音声などの音楽等を再生し、音楽等の信号が電波に変換されてヘッドホン１００に送られる。ヘッドホン１００では、アンテナ１３により電波を受信し、無線受信装置１２により電波を音楽等のデータを含む電気信号に変換する。音楽等のデータを含む電気信号は増幅アンプ２４で増幅され、スピーカ１１を駆動して音楽等を再生する。なお、無線受信装置１２や増幅アンプ２４を駆動するための電力は電源である二次電池２３から供給される。また、二次電池２３には発電装置である太陽電池セル２２で発電された電力が適宜送られ、電力が蓄えられる。
【００１９】
本発明のヘッドホンでは発電装置である太陽電池セルを備えているために二次電池に適宜充電が行うことが可能であり、電源である二次電池を大型の大容量のものにしなくても、長時間の連続使用が可能となる。
【００２０】
図２に本発明の別の一例のヘッドホンを示す。本実施態様のヘッドホン１００は、２つのスピーカ部１０と、このスピーカ部を連結し頭部形状に合わせて湾曲したヘッドバンド部２０とから構成される。スピーカ部には、スピーカ１１、無線受信装置１２、アンテナ１３、相対的に運動する磁石とコイルとにより構成される発電装置１４、二次電池１５、増幅アンプ１６が備えられている。ヘッドバンド部２０には、ヘットバンド２１が備えられている。
【００２１】
本発明のヘッドホン１００は、不図示の音楽等再生装置と組み合わせて、音楽等を楽しむことができる。この音楽等再生装置により、音楽や音声などの音楽等を再生し、音楽等の信号が電波に変換されてヘッドホン１００に送られる。ヘッドホン１００では、アンテナ１３により電波を受信し、無線受信装置１２により電波を音楽等のデータを含む電気信号に変換する。音楽等のデータを含む電気信号は増幅アンプ１６で増幅され、スピーカ１１を駆動して音楽等を再生する。なお、無線受信装置１２や増幅アンプ１６を駆動するための電力は電源である二次電池１５から供給される。また、二次電池１５には発電装置１４で発電された電力が適宜送られ、電力が蓄えられる。
【００２２】
本発明のヘッドホンでは、相対的に運動する磁石とコイルとにより構成される発電装置を備えているために、二次電池に適宜充電が行うことが可能であり、電源である二次電池を大型の大容量のものにしなくても、長時間の連続使用が可能となる。
【図面の簡単な説明】
【００２３】
【図１】本発明の一例のヘッドホン
【図２】本発明の別の一例のヘッドホン
【符号の説明】
【００２４】
１０    スピーカ部
１１    スピーカ
１２    無線受信装置
１３    アンテナ
１４    発電装置
２０    ヘッドバンド部
２１    ヘッドバンド
２２    太陽電池セル
１５、２３    二次電池
１６、２４    増幅アンプ
１００  ヘッドホン      
【図１】
2010050667.tif 000003
【図２】
2010050667.tif 000004